(57)【要約】【課題】製造が容易で、かつ、出入りが容易な災害用シェルターを提供する。【解決手段】ハウジング９の内部に避難者５を収容して液面１に浮く。災害用シェルター８は、ハウジングが、円筒状の周壁１０と、周壁の下部を塞ぐ底壁２５と、周壁の上部を覆う天井壁３０と、を備えて、高さ寸法より直径寸法を大きくする略円柱状とする。天井壁には、避難者の出入り用の開口３５と、開口を開閉する開閉扉４０と、が配設される。ハウジング内には、天井壁３０と底壁２５とを連結する補強用の連結杆部６０が配設される。連結杆部は、開けた開閉扉の開口から避難者がハウジング内に移動する際の梯子として使用可能で、かつ、着座時の避難者の把持用支柱として使用可能に、天井壁と底壁とを連結する縦杆部６１，６１と、縦杆部から横方向に延びて、上下に複数段配設される横杆部６６（６６ａ，６６ｂ，６６ｃ）と、を備える。【選択図】図５
0003180831.tif 000002
【実用新案登録請求の範囲】
【請求項１】
ハウジングの内部に避難者を収容して液面に浮く災害用シェルターであって、
前記ハウジングが、円筒状の周壁と、周壁の下部を塞ぐ底壁と、前記周壁の上部を覆う天井壁と、を備えて、高さ寸法より直径寸法を大きくする略円柱状として構成され、
前記天井壁に、避難者の出入り用の開口と、該開口を開閉する開閉扉と、が配設され、
前記ハウジング内に、前記天井壁と前記底壁とを連結する連結杆部が配設され、
該連結杆部が、開けた前記開閉扉の開口から避難者が前記ハウジング内に移動する際の梯子として使用可能で、かつ、着座時の避難者の把持用支柱として使用可能に、前記天井壁と前記底壁とを連結する縦杆部と、該縦杆部から横方向に延びて、上下に複数段配設される横杆部と、を備えて構成されていることを特徴とする災害用シェルター。
【請求項２】
前記連結杆部の前記縦杆部が、上端を前記天井壁の下面における前記開口周縁に連結させ、下端を前記底壁の上面における中央付近に連結させて、配設されていることを特徴とする請求項１に記載の災害用シェルター。
【請求項３】
前記開口が、前記天井壁の中央付近に開口され、
前記開閉扉が、前記開口の周縁に配設されるヒンジ部により、開閉可能に配設され、
前記天井壁の前記開口の周囲の対向する部位における前記開閉扉のヒンジ部側と、前記開閉扉の開き時の回転端側とに、手摺が配設され、
該手摺が、前記天井壁の外周縁から、前記開口の両側に、相互に平行に延びるように配設されるとともに、
前記ヒンジ部側の手摺が、上方から見て、前記ヒンジ部付近までの長さ寸法とし、前記回転端側の手摺が、上方から見て、前記ヒンジ部側の手摺より長い長さ寸法として、前記開口の周縁の端縁付近まで延びるように、配設されていることを特徴とする請求項１若しくは請求項２に記載の災害用シェルター。
【請求項４】
前記天井壁が、外周縁より中央側を高くする略円錐状の湾曲形状に形成されていることを特徴とする請求項１乃至請求項３のいずれか１項に記載の災害用シェルター。
【考案の詳細な説明】
【技術分野】
【０００１】
本考案は、洪水、高潮、津波、竜巻等の災害時に、救助されるまで、避難者を安全に収容して避難させておくことができる災害用シェルターに関する。
【背景技術】
【０００２】
従来、この種の災害用シェルターとしては、ハウジングが、略球状としたもの（例えば、特許文献１，２参照）、横長円筒状としたもの（例えば、特許文献３参照）、略円筒状としたもの（例えば、特許文献４参照）、あるいは、箱形状のもの（例えば、特許文献５参照）等があった。
【先行技術文献】
【特許文献】
【０００３】
【特許文献１】特開２００６−１５８８７４号公報
【特許文献２】実用新案登録第３１７６３５５号公報
【特許文献３】特開２００６−２５６５６３号公報
【特許文献４】実用新案登録第３１７３９９８号公報
【特許文献５】実用新案登録第３１７７７３３号公報
【考案の概要】
【考案が解決しようとする課題】
【０００４】
しかし、これら従来の災害用シェルターでは、製造し難い球形状としたり、底壁側を半円筒状として、錘等を設けないと海面上で不安定となる形状としていた。また、ハウジング内に避難する際に、海水等の進入を避けて天井壁に、出入り用の開口を設けた場合、天井壁から底壁までに距離があれば、安全に入り難い。
【０００５】
本考案は、上述の課題を解決するものであり、製造が容易で、かつ、出入りが容易な災害用シェルターを提供することを目的とする。
【課題を解決するための手段】
【０００６】
＜請求項１の説明＞
本考案に係る災害用シェルターは、ハウジングの内部に避難者を収容して液面に浮く災害用シェルターであって、
前記ハウジングが、円筒状の周壁と、周壁の下部を塞ぐ底壁と、前記周壁の上部を覆う天井壁と、を備えて、高さ寸法より直径寸法を大きくする略円柱状として構成され、
前記天井壁に、避難者の出入り用の開口と、該開口を開閉する開閉扉と、が配設され、
前記ハウジング内に、前記天井壁と前記底壁とを連結する連結杆部が配設され、
該連結杆部が、開けた前記開閉扉の開口から避難者が前記ハウジング内に移動する際の梯子として使用可能で、かつ、着座時の避難者の把持用支柱として使用可能に、前記天井壁と前記底壁とを連結する縦杆部と、該縦杆部から横方向に延びて、上下に複数段配設される横杆部と、を備えて構成されていることを特徴とする。
【０００７】
本考案に係る災害用シェルターは、ハウジングが、高さ寸法より直径寸法を大きくする略円柱状としており、安定して、海面や水面等の液面に浮上できるとともに、浮遊物が衝突しても、浮遊物の衝突部位となる周壁が円筒状であることから、浮遊物を引掛けること無く、逃すことができ、そして、球状のハウジングに比べて、容易に製造することができる。
【０００８】
また、天井壁と底壁とを連結する連結杆部が、複数段の横杆部を有して梯子として使用できることから、天井壁の開口からの出入りが容易となる。また、連結杆部は、把持用支柱としても使用できることから、揺れる海面に浮かんでいても、避難者は、把持用支柱を把持して、安定した姿勢を維持できる。
【０００９】
さらに、天井壁は、円筒状の周壁に比べて、変形し易く、下方へ凹み易いが、連結杆部が、天井壁と底壁とを連結して、天井壁の補強材の機能を発揮することから、天井壁の強度が向上し、避難者が、開口を経てハウジング内に入る際、天井壁に複数人載っても、天井壁の変形が防止されて、支障なく、避難者は、ハウジング内に入ることができる。
【００１０】
したがって、本考案に係る災害用シェルターは、製造が容易で、かつ、出入りが容易となり、さらに、連結杆部によって強度も向上させることができる。
【００１１】
＜請求項２の説明＞
本考案に係る災害用シェルターでは、連結杆部の縦杆部が、上端を天井壁の下面における開口周縁に連結させ、下端を底壁の上面における中央付近に連結させて、配設されていることが望ましい。
【００１２】
このような構成では、連結杆部の下端が、底壁の中央付近に配置されることから、連結杆部を把持用支柱として使用する場合、複数の避難者が、連結杆部を把持しつつ、連結杆部の下端側の周囲に着座できて、小スペースでも、安定した姿勢を維持できる。
【００１３】
＜請求項３の説明＞
本考案に係る災害用シェルターでは、前記開口が、前記天井壁の中央付近に開口され、
前記開閉扉が、前記開口の周縁に配設されるヒンジ部により、開閉可能に配設され、
前記天井壁の前記開口の周囲の対向する部位における前記開閉扉のヒンジ部側と、前記開閉扉の開き時の回転端側とに、手摺が配設され、
該手摺が、前記天井壁の外周縁から、前記開口の両側に、相互に平行に延びるように配設されるとともに、
前記ヒンジ部側の手摺が、上方から見て、前記ヒンジ部付近までの長さ寸法とし、前記回転端側の手摺が、上方から見て、前記ヒンジ部側の手摺より長い長さ寸法として、前記開口の周縁の端縁付近まで延びるように、配設されていることが望ましい。
【００１４】
このような構成では、災害用シェルター内に避難する際、避難者は、予め、回転端側やヒンジ部側の手摺を適宜持ちつつ、天井壁の上面側に移動し、また、ヒンジ部を回転中心として回転させて、開閉扉を開け、そして、開いた開口を経て、災害用シェルターの内部に移動することとなる。その際、開閉扉の回転端側で、長い長さの手摺が配置されていることから、その回転端側の手摺を把持して、開き終えるまでの開閉扉を、円滑に、保持しつつ、開かせることができる。また、短い長さのヒンジ部側の手摺は、ヒンジ部の手間付近までの配置であり、開き時の開閉扉と当たらず、避難者は、開口を大きく開けるように、開閉扉を大きく回転させることができることから、避難者の出入りが容易となる。
【００１５】
＜請求項４の説明＞
本考案に係る災害用シェルターでは、前記天井壁は、外周縁より中央側を高くする略円錐状の湾曲形状に形成されていることが望ましい。
【００１６】
このような構成では、天井壁が、平らに形成されている場合に比べて、上方へ隆起するように湾曲しており、落ち込み難く、開口周縁の天井壁に避難者が載っても、十分な強度を確保して、安定して避難者を支持することができる。
【図面の簡単な説明】
【００１７】
【図１】本考案に係る一実施形態の災害用シェルターの正面図である。
【図２】実施形態の災害用シェルターの平面図である。
【図３】実施形態の災害用シェルターの側面図である。
【図４】実施形態の災害用シェルターの縦断面図であり、図２のIV−IV部位に対応する。
【図５】実施形態の災害用シェルターの縦断面図であり、図２のＶ−Ｖ部位に対応する。
【図６】実施形態の災害用シェルターの横断面図であり、図１のVI−VI部位に対応する。
【図７】実施形態の災害用シェルターを固定する状態を説明する図である。
【考案を実施するための形態】
【００１８】
以下、本考案の一実施形態を図面に基づいて説明すると、実施形態の災害用シェルター８は、図１〜６に示すように、鋼板製のハウジング９を備えて構成され、ハウジング９は、円筒状の周壁１０と、周壁１０の下部を塞ぐ略円板状の底壁２５と、周壁１０の上部を覆う略円板状の天井壁３０と、を備えて、高さ寸法Ｈより直径寸法Ｄを大きくする略円柱状として構成されている。実施形態の場合、ハウジング９は、高さ寸法Ｈを約１０８０ｍｍ、直径寸法Ｄを約１２０６ｍｍとして、高さ寸法Ｈと直径寸法Ｄとの寸法比を９：１０程度とし、また、後述する開口３５を、一辺を約５３０〜５７０ｍｍ程度とした正方形若しくは長方形としている。
【００１９】
周壁１０は、２．３ｍｍ程度の厚さ寸法の鋼板１２を円筒状に溶接して形成され、所定の外周部位に、補強用の円環状の補強リング１４が、固着されている。また、周壁１０の上端には、ロープを引掛けて、災害用シェルター８を吊り上げたり固定したりするための複数のフック１６が、固着されている。
【００２０】
また、周壁１０には、窓部１８が配設され、窓部１８は、周壁１０に開けた開口に、透明板２０を固着させた枠体１９を取り付けて、構成されている。
【００２１】
底壁２５は、円板状の厚さ寸法を３．２ｍｍ程度とした鋼板２３の外周縁を曲げ加工して形成され、下面側に、複数（実施形態では四個）の支持脚２６が固着されている。
【００２２】
また、底壁２５には、ドレンプラグ２７が配設されている。このドレンプラグ２７は、ハウジング９が上下を反転させた状態で液面１を漂流する事態となった場合、この部位をハウジング９の空気孔として使用可能に、ハウジング９内とハウジング９外から、着脱できるように、水密性を確保して、底壁２５に螺着されている。
【００２３】
天井壁３０は、略円板状の厚さ寸法を２．３ｍｍ程度とした鋼板２８を曲げ加工して、略円錐形状に湾曲して形成され、周壁１０を構成した円筒状の鋼板１２の上端に、溶接されている。また、天井壁３０には、中央に、避難者の出入り用の正方形の開口３５が形成され、開口３５には、開閉用の開閉扉４０が配設されている。
【００２４】
開口３５の周縁には、上方へ突出するフランジ部３６が形成され、フランジ部３６の全周の上端には、開閉扉４０を閉じた際の水密性を確保できるように、シール材３７が嵌合されている。
【００２５】
開閉扉４０は、開口３５の全域を覆い可能に、開口３５より大きな形状の略四角板状として、複数の開口を設けたステンレス等の金属製の本体枠４１に、アクリル等の透明な合成樹脂製の透明板４２を固着させて構成され、ヒンジ部４４により、フランジ部３６に回動可能に取り付けられている。なお、実施形態の場合、ハウジング９の正面から見た状態のフランジ部３６の右縁部位に、二つのヒンジ部４４を設けて、開閉扉４０が取り付けられている。
【００２６】
また、開閉扉４０のヒンジ部４４から離れた回転端４０ａ側には、開閉ハンドル４５が形成されている。開閉ハンドル４５は、開閉扉４０から突出する取手部４６と、開閉扉４０の裏面側に突出する係止片部４８と、取手部４６と係止片部４８とを連結する軸部４７と、を備えて構成され、軸部４７が、開閉扉４０に設けられた貫通孔４１ａを貫通し、かつ、貫通孔４１ａの周縁に回動可能に配設されている。開閉ハンドル４５は、取手部４６を保持して、近傍のフランジ部３６の部位３６ａと直交するように取手部４６を、図２の二点鎖線から実線に示すように反時計回り方向に、回転させれば、係止片部４８が、フランジ部３６の部位３６ａの下方へテーパ状に突出するストッパ３８に下がるように押圧されて係止され、開閉扉４０が、シール材３７側に押し付けられつつ、開口３５を閉塞した状態で、その位置を停止されることとなる。そのため、取手部４６を前後方向に沿わせるように、戻せば（換言すれば、図２の実線から二点鎖線に示すように、時計回り方向に回転させれば）、係止片部４８がストッパ３８から外れることとなって、開閉扉４０を開けることができる。
【００２７】
なお、開閉扉４０には、ハウジング９内と連通するように、元部５０ａを開閉扉４０に貫通させ、先端５０ｂ側をＵ字状に反転させて、先端の開口５０ｃを開閉扉４０に接近させるように配置させる通気管５０が、配設されている。
【００２８】
また、開閉扉４０を開けた際、通気管５０が天井壁３０に当たって、開閉扉４０の開き位置が規制される構成としている。そして、天井壁３０の上面には、開閉扉４０を開いた際に、通気管５０を受け止めるクッション材３１が貼着されている。
【００２９】
なお、この通気管５０の元部５０ａ側には、ハウジング９が上下を逆転させて液面１を漂流する事態となった場合を考慮して、所定の止め栓をハウジング９の内側から取付可能なねじ部が形成されている。
【００３０】
さらに、天井壁３０の上面側には、開口３５の周囲の左右で対向する部位における開閉扉４０のヒンジ部４４側と、開閉扉４０の開き時の回転端４０ａ側とに、手摺５２，５４が配設されている。これらの手摺５２，５４は、天井壁３０の外周縁の前縁３０ａ側から、開口３５の左右両側に、それぞれ、相互に平行に逆Ｕ字状に延びるように配設されている。そして、ヒンジ部４４側の手摺５２が、上方から見て、ヒンジ部４４付近までの長さ寸法ＬＳとし、回転端４０ａ側の手摺５４が、上方から見て、ヒンジ部４４側の手摺５２より長い長さ寸法ＬＬとして、開口３５の周縁の端縁（後縁）３０ｂ付近まで延びるように、配設されている（図２参照）。手摺５２，５４は、それぞれ、横棒部５２ａ，５４ａと、横棒部５２ａ，５４ａの両端から下方に延びて周壁１０と天井壁３０とに固着される縦棒部５２ｂ，５２ｃ，５４ｂ，５４ｃとを備えて構成されている。手摺５４は、横棒部５４ａの長さ寸法ＬＬが長いことから、前後の縦棒部５４ｂ，５４ｃの間に、天井壁３０と横棒部５４ａとを連結する中間縦棒部５４ｄが配設されている。
【００３１】
また、天井壁３０には、手摺５２，５４の間の部位に、左右方向に延びる滑り止め用突条３２が、固着されている。
【００３２】
ハウジング９の内部には、天井壁３０と底壁２５とを連結する金属棒からなる連結杆部６０が配設されている。連結杆部６０は、開けた開閉扉４０の開口３５から避難者５がハウジング９内に移動する際の梯子として使用可能で、かつ、着座時の避難者５の把持用支柱として使用可能に、天井壁３０と底壁２５とを連結する縦杆部６１と、縦杆部６１から横方向に延びて、上下に複数段配設される横杆部６６と、を備えて構成されている。
【００３３】
実施形態の場合、連結杆部６０の縦杆部６１は、上端６１ａを天井壁３０の下面における開口３５の周縁の部位３０ｃ，３０ｄに連結させ、下端６１ｂを底壁２５の上面における中央付近に連結させて、配設されている。具体的には、縦杆部６１は、上部側の上側部６２が前後方向で対向する２本から形成され、下側部６４が１本から形成されている。そして、横杆部６６が、２本の上側部６２，６２相互を連結するように、上段部６６ａ、中段部６６ｂ、及び、下段部６６ｃとした３本から形成され、下段部６６ｃの前後方向の中央から下側部６４が下方に延びるように配設されている。
【００３４】
さらに、前後の上側部６２，６２は、相互の上端６１ａを、フランジ部３６の左側の部位の前後の部位３６ｂ，３６ｃに離して固着させ、下段部６６ｃにかけて相互に接近しつつ、底壁２５の中央付近の上方に位置するように、傾斜して配設されている。下側部６４は、底壁２５の中央から上方に真直ぐ延び、下段部６６ｃに結合されている。
【００３５】
また、ハウジング９内の底壁２５の周壁１０近傍には、円環状の座部７０が配設されている。座部７０は、円環状の着座部７１と、着座部７１を支持する複数の支持台部７２と、を備えて構成されている。
【００３６】
さらに、ハウジング９内には、避難者５の揺れを抑制できるように、複数のシートベルト８０が配設されている。
【００３７】
実施形態の災害用シェルター８では、ハウジング９が、高さ寸法Ｈより直径寸法Ｄを大きくする略円柱状としており、安定して、海面や水面等の液面１に浮上できるとともに、浮遊物が衝突しても、浮遊物の衝突部位となる周壁１０が円筒状であることから、浮遊物を引掛けること無く、逃すことができ、そして、球状のハウジングに比べて、容易に製造することができる。
【００３８】
また、天井壁３０と底壁２５とを連結する連結杆部６０が、複数段の横杆部６６を有して梯子として使用できることから、天井壁３０の開口３５からの出入りが容易となる。また、連結杆部６０は、把持用支柱としても使用できることから、揺れる海面（液面）１に浮かんでいても、避難者５は、把持用支柱（連結杆部）６０を把持して、安定した姿勢を維持できる。
【００３９】
さらに、天井壁３０は、円筒状の周壁１０に比べて、変形し易く、下方へ凹み易いが、連結杆部６０が、天井壁３０と底壁２５とを連結して、天井壁３０の補強材の機能を発揮することから、天井壁３０の強度が向上し、避難者５が、開口３５を経てハウジング９内に入る際、天井壁３０に複数人載っても、天井壁３０の変形が防止されて、支障なく、避難者５は、ハウジング９内に入ることができる。
【００４０】
したがって、実施形態の災害用シェルター８は、製造が容易で、かつ、出入りが容易となり、さらに、連結杆部６０によって強度も向上させることができる。
【００４１】
そして、実施形態の災害用シェルター８では、連結杆部６０の縦杆部６１が、上端６１ａを天井壁３０の下面における開口３５の周縁の部位３６ｂ，３６ｃに連結させ、下端６１ｂを底壁２５の上面における中央付近に連結させて、配設されている。
【００４２】
そのため、実施形態では、連結杆部６０の下端６１ｂが、底壁２５の中央付近に配置されることから、連結杆部６０を把持用支柱として使用する場合、複数の避難者５が、連結杆部６０を把持しつつ、連結杆部６０の下端６１ｂ側の周囲に着座できて、小スペースでも、安定した姿勢を維持できる。
【００４３】
また、実施形態の災害用シェルター８では、開口３５が、天井壁３０の中央付近に開口され、開閉扉４０が、開口３５の周縁に配設されるヒンジ部４４により、開閉可能に配設されている。そして、天井壁３０の開口３５の周囲の対向する部位における開閉扉４０のヒンジ部４４側と、開閉扉４０の開き時の回転端４０ａ側とに、手摺５２，５４が配設され、手摺５２，５４が、天井壁３０の外周縁（前縁）３０ａから、開口３５の両側に、相互に平行に延びるように配設されるとともに、ヒンジ部４４側の手摺５２が、上方から見て、ヒンジ部４４付近までの長さ寸法ＳＬとし、回転端４０ａ側の手摺５４が、上方から見て、ヒンジ部４４側の手摺５２より長い長さ寸法ＬＬとして、開口３５の周縁の端縁（後縁）３０ｂ付近まで延びるように、配設されている。
【００４４】
そのため、実施形態では、災害用シェルター８内に避難する際、避難者５は、予め、回転端４０ａ側やヒンジ部４４側の手摺５２，５４を適宜持ちつつ、天井壁３０の上面側に移動し、また、ヒンジ部４４を回転中心として回転させて、開閉扉４０を開け、そして、開いた開口３５を経て、災害用シェルター８の内部に移動することとなる。その際、開閉扉４０の回転端４０ａ側で、長い長さの手摺５４が配置されていることから、その回転端４０ａ側の手摺５４を把持して、開き終えるまでの開閉扉４０を、円滑に、保持しつつ、開かせることができる。また、短い長さのヒンジ部４４側の手摺５２は、ヒンジ部４４の手間付近までの配置であり、開き時の開閉扉４０と当たらず、避難者５は、開口３５を大きく開けるように、開閉扉４０を大きく回転させることができることから、避難者５の出入りが容易となる。
【００４５】
さらに、実施形態の災害用シェルター８では、天井壁３０は、外周縁より中央側を高くする略円錐状の湾曲形状に形成されている。
【００４６】
そのため、実施形態では、天井壁３０が、平らに形成されている場合に比べて、上方へ隆起するように湾曲しており、落ち込み難く、開口３５の周縁の天井壁３０に避難者５が載っても、十分な強度を確保して、安定して避難者５を支持することができる。
【００４７】
なお、ハウジング９の天井壁３０の上面側には、電源を確保したり、あるいは、夜間での救助が円滑になるように、ソーラーパネルやライトを設けても良い。
【００４８】
また、周壁１０に、水密性を確保して、第２の開閉扉を設けてもよい。
【００４９】
さらに、竜巻等のために、災害用シェルター８は、固定させてもよい。例えば、図７に示すように、コンクリート等からなるベース９０に、災害用シェルター８を載せ、ベース９０に連結させたチェーン等の線状材９４の先端のえび金具９２を、フック１６に係止させて、災害用シェルター８をベース９０上に固定してもよい。なお、災害用シェルター８内には、タラップ９６等を利用して、乗り込めばよく、飛来する瓦等から避難者を保護できる。
【符号の説明】
【００５０】
５…避難者、８…災害用シェルター、９…ハウジング、１０…周壁、２５…底壁、３０…天井壁、３５…開口、４０…開閉扉、４０ａ…回転端、４４…ヒンジ部、５２…（ヒンジ部側）手摺、５４…（回転端側）手摺、６０…連結杆部、６１…縦杆部、６１ａ…上端、６１ｂ…下端、６６…横杆部、Ｈ…（ハウジングの）高さ寸法、Ｄ…（ハウジングの）直径寸法。
【図１】
0003180831.tif 000003
【図２】
0003180831.tif 000004
【図３】
0003180831.tif 000005
【図４】
0003180831.tif 000006
【図５】
0003180831.tif 000007
【図６】
0003180831.tif 000008
【図７】
0003180831.tif 000009